(57)【特許請求の範囲】
【請求項１】
背凭れ部と座部を有し、座部前部には出没機構を介してその前端に足載台を設けて該足載台を座部下方から略水平位置に出没し得るようにすると共に該足載台を摺動手段により座部前方へ移動自在にした椅子において、前記摺動手段を、足載台保持部材に枢着部で枢着する摺動棒を設けると共に該摺動棒端部を座部に摺動可能に挿入する機構とし、且つ足載台保持部材と座部間に進退機構を介設し、該進退機構を足載台保持部材の下面部で回動リンクを介して係合させると共に、該回動リンクを摺動棒が足載台保持部材に枢着する枢着部より下方に設けて、足載台の出没及び摺動を一連的に行わせることを特徴とする足載台進退機構。
【請求項２】
前記進退機構を、前記足載台保持部材の下面部で前記回動リンクを介して非回転ナットの先端部を係合すると共に該非回転ナットに螺合する螺子軸をモータで回転させて、該非回転ナットを前後方向に進退させるようにしたことを特徴とする請求項１記載の足載台進退機構。
【請求項３】
前記進退機構を、圧縮空気の給気によって伸長するエア・ピストンシリンダと、前記足載台を突出位置から元位置に復帰するための付勢部材とを利用した構成とすることを特徴とする請求項１記載の足載台進退機構。
【請求項４】
前記足載台保持部材の下面部と前記非回転ナットの先端部との間に介設した前記回動リンクを足載台保持部材の下面側に設けたスライド溝に係合させると共に、該スライド溝により、前記足載台が前方へ突出した際に、該回動リンクを足載台の下面中央近傍まで移動できるようにしたことを特徴とする請求項２記載の足載台進退機構。
【発明の詳細な説明】
【０００１】
【産業上の利用分野】
本発明は、椅子及びマッサージ椅子の座部前部に配備される足載台に摺動手段を設け、足載台を任意或いは自動的にスライドできるようにして、使用者の脚部或いは好みに応じて足載台を進退調節できるようにした足載台進退機構に関するものである。
【０００２】
【従来の技術】
従来の足載台は、座部の後部に背凭れ部を配備すると共に座部下方から前方へ伸設されるパンタグラフ状或はシリンダー状の出没機構を設け、該出没機構の前端に足載台を取り付けて、足載台を手動で前方へ出没自在に構成したものや、リクライニング機構を利用して、手動や電動により傾倒自在に構成した背凭れ部の下部に前記出没機構の後端が枢着され、その前端に足載台を取着して背凭れ部の傾倒に連動して足載台を前方へ出没自在に構成したもの等があり、これらは一般的に古くから利用されているものである。
【０００３】
また、前記足載台は、これを前方へ押し上げて脚部を保持するのであるが、脚部を保持した状態で脚部自体にマッサージを施すことができるよう、該足載台の内部にバイブレータや可回転ローラ−の他、膨張や収縮を繰り返し行う袋体等を装備したものも有り、これらも一般市場に出回っているものである。
【０００４】
【発明が解決しようとする課題】
しかし、上記のような従来の椅子及びマッサージ椅子にあっては、背凭れ部においては使用者が仰臥姿勢や着座姿勢を任意に選択でき、また、足載部においても、使用者が任意に足載台を出没させて使用できるため、比較的楽な姿勢で着座してマッサージを施すことができ、利便で快適なものでは有るが、特に足載台に脚部を載置する場合に、足載台の長さが一定であるために使用者の脚部の長さの個人差に対応できず、安定した位置に脚部のふくらはぎ部分を載置することができず、楽な姿勢とは言えない状態になる場合があった。
【０００５】
特に、近年の若年層と老人層が交互に足載台を使用する場合に、老人層にとっては問題は少ないのであるが、近年の若年層のように、比較的に長い脚をこの足載台に載上した場合には、その先端からふくらはぎにかけてのかなりの部分が、該足載台からはみ出してしまうという結果になっていた。
【０００６】
上記の問題は、前記足載台が、収納状態の閉没時に座部前端から下垂れるように構成されているため、該足載台の奥行長さが床部と座部間の寸法に限定されてしまうことにあった。
【０００７】
本発明は、上記実情に鑑みて成されたものであり、座部前部に足載台を配備した椅子や、座部前部に座部下方から略水平位置に出没し得る足載台を設けた椅子及びマッサージ椅子において、該足載台を前方へ突出させた状態で足載台を任意或いは自動的にスライドできるようにし、使用者の脚部或いは好みに応じて足載台を進退調節できるようにした足載台進退機構を提供する事を目的とする。
【０００８】
【課題を解決するための手段】
すなわち、本発明の足載台進退機構は、背凭れ部と座部を有し、座部前部には出没機構を介してその前端に足載台を設けて該足載台を座部下方から略水平位置に出没し得るようにすると共に該足載台を摺動手段により座部前方へ移動自在にした椅子において、前記摺動手段を、足載台保持部材に枢着部で枢着する摺動棒を設けると共に該摺動棒端部を座部に摺動可能に挿入する機構とし、且つ足載台保持部材と座部間に進退機構を介設し、該進退機構を足載台保持部材の下面部で回動リンクを介して係合させると共に、該回動リンクを摺動棒が足載台保持部材に枢着する枢着部より下方に設けて、足載台の出没及び摺動を一連的に行わせることを特徴とするものである。
【０００９】
また、本発明の足載台進退機構は、前記進退機構を、前記足載台保持部材の下面部で前記回動リンクを介して非回転ナットの先端部を係合すると共に該非回転ナットに螺合する螺子軸をモータで回転させて、該非回転ナットを前後方向に進退させるようにしたことを特徴とするものでもある。
【００１０】
更に本発明は、前記進退機構を、圧縮空気の給気によって伸長するエア・ピストンシリンダと、前記足載台を突出位置から元位置に復帰するための付勢部材とを利用した構成とすることを特徴とするものでもある。
【００１１】
更にまた本発明は、前記足載台保持部材の下面部と前記非回転ナットの先端部との間に介設した前記回動リンクを足載台保持部材の下面側に設けたスライド溝に係合させると共に、該スライド溝により、前記 足載台が前方へ突出した際に、該回動リンクを足載台の下面中央近傍まで移動できるようにしたことを特徴とするものでもある。
【００１２】
前記進退機構は、例えば、モータの駆動にリンクして回転する螺子軸と、足載台に係合した非回転ナット体とを螺合させて構成することができ、該螺子軸の正転又は逆転によって、それに螺合する非回転ナット体が移動し、該非回転ナット体に係合した足載台を自由に摺動させることができる。
【００１３】
また、前記螺子軸とナット体とを、上記とは逆に、モータの駆動にリンクして回転するナット体と、足載台に係合した非回転螺子軸とを螺合させて構成してもよい。
【００１４】
更に、前記進退機構は、前記足載台に係合したピストンシリンダを、エアコンプレッサ等に連通させて構成することもでき、このエアコンプレッサ等の空圧調節によって、前記ピストンシリンダが伸縮し、これに係合した前記足載台を任意に摺動させることができる。
【００１５】
更にまた、本発明の足載台進退機構は、前記摺動手段及び前記進退機構によって、足載台の出没及び摺動を一連的に行わせる事もでき、足載台が座部下方から略水平位置への出没を行わせた後これを前方へ任意の範囲間を摺動させるよう構成することもできる。
【００１６】
【作用】
本発明は、上記のような構成を採用することにより次のような作用をもたらすものである。
すなわち、本発明の足載台進退機構においては、足載台を座部下方から略水平位置に出没し得るようにすると共に該足載台を摺動手段により座部前方へ移動自在にした椅子において、前記摺動手段を、足載台保持部材に枢着部で枢着する摺動棒を設けると共に該摺動棒端部を座部に摺動可能に挿入する機構とし、且つ足載台保持部材と座部間に進退機構を介設し、該進退機構を足載台保持部材の下面部で回動リンクを介して係合させると共に、該回動リンクを摺動棒が足載台保持部材に枢着する枢着部より下方に設けて、足載台の出没及び摺動を一連的に行わせるよう構成したことにより、足載台の座部下方から略水平位置への出没を行わせた後これを前方へ任意の範囲間で摺動できる。このように、本発明の足載台進退機構は、足載台を使用者の脚の長さに合わせて前後に摺動させることのできるものであり、各使用者が、座部前部に略水平状態に突出させた足載台を好みの位置に摺動させてリラックスした姿勢で椅子やマッサージ椅子を使用することができる。
【００１７】
更に本発明は、前記進退機構を、前記足載台保持部材の下面部で前記回動リンクを介して非回転ナットの先端部を係合すると共に該非回転ナットに螺合する螺子軸をモータで回転させて、該非回転ナットを前後方向に進退させるようにする場合には、該螺子軸の正転又は逆転によって、それに螺合する非回転ナット体が移動し、該非回転ナット体に係合した足載台を自由に摺動させることができるし、又は、前記進退機構を、圧縮空気の給気によって伸長するエア・ピストンシリンダと、前記足載台を突出位置から元位置に復帰するための付勢部材とを利用した構成とする場合には、エアコンプレッサ等の空圧調節によって、エア・ピストンシリンダが伸縮し、これに係合した足載台を任意に摺動させることができる。
【００１８】
更にまた本発明は、前記足載台保持部材の下面部と前記非回転ナットの先端部との間に介設した前記回動リンクを足載台保持部材の下面側に設けたスライド溝に係合させると共に、該スライド溝により、前記足載台が前方へ突出した際に、該回動リンクを足載台の下面中央近傍まで移動できるようにしたため、足載台を安定的に保持させ、水平状態から下方へ容易に収没しないようにすることができる。
【００１９】
【発明の実施の態様】
以下、本発明の足載台進退機構を、図面に示す一実施例に基づいてこれを詳細に説明する。
図１は、本発明の足載台進退機構の実施例を示しており、図面では、背凭れ部５と座部４を有し、座部４前部には出没機構２２を介してその前端に足載台２を設け、該足載台２が座部４下方から略水平位置に出没し得るようにした椅子に足載台進退機構を設けた例を示しており、前記椅子の足載台２に摺動手段を設けて足載台２を座部４の前方へ移動できるようにしている。
【００２０】
前記摺動手段は、前記出没機構２２前端の足載台保持部材２１と座部４間に進退機構１を介設した構成であり、該進退機構１は、図１に示したように、螺子軸１１、非回転ナット１２、回動リンク１３、保持筒１４、ギア１５及び支軸１６とから成り、前記螺子軸１１及び該非回転ナット１２は、座部４の下部に位置する配設している。
【００２１】
また、前記螺子軸１１は、図１に示したように、例えば、前記螺子軸１１に噛合するギア１５を、モータ３で回転させるよう噛合させることで、螺子軸１１を回転させて回転を抑制されている筒状の非回転ナット１２を進退させることができるように構成している。
【００２２】
前記螺子軸１１は、図５に示すように、その後端部を、上記座部４の座部フレーム４１の下面適所に設けられた支軸１６に回転可能に保持されており、前記ギア１５が前記モータ３に噛合して安定した回転を行い得るようにしている。
【００２３】
尚、前記非回転ナット１２は、図１に示したように、保持筒１４によって鉛直方向への移動を抑止されているため、前後方向への摺動移動のみが可能となる。
【００２４】
従って、上記モータを正転或いは逆転させた際には、上記螺子軸１１が正転或いは逆転し、さらに、これに螺合する非回転ナット１２を、前方或いは後方へ移動させることができるのである。
【００２５】
前記該進退機構１は、本実施例では、螺子軸１１、非回転ナット１２、回動リンク１３、保持筒１４、ギア１５及び支軸１６とから構成した例を示したが、これに限るものではなく、図６のような構成にしても良く、また図示していないが圧縮空気の給気によって伸長するエア・ピストンシリンダを利用して構成することもでき、該エア・ピストンシリンダを利用した場合には、排気時に前記足載台２を、突出位置から上記座部フレーム４１の前端までの元位置に復帰することのできるバネ等の付勢部材を、前記摺動棒２４・２４の近傍に設ければよい。
【００２６】
前記摺動手段は、前記出没機構２２前端の足載台保持部材２１に摺動棒２４を設ける共に、該摺動棒２４端部を座部４に摺動可能に挿入する機構にすることで、足載台２の安定したガイドとして使用できると共に、前記進退機構１を設けない場合には手動によっても任意に足載台２を摺動させることができる。
【００２７】
前記足載台２は、その足載台保持部材２１の下面部で、前記非回転ナット１２先端部に前記回動リンク１３を介して係合するようにしており、該回動リンク１３は、図２乃至図４に示したように、足載台保持部材２１の下面側で一定範囲間を前後に移動できるよう足載台保持部材２１下面側にスライド溝２５を設けて、これに係合させるようにしてもよい。
【００２８】
前記スライド溝２５は、前記足載台２が前方へ突出した際に、前記回動リンク１３を足載台２の下面中央近傍まで移動させることができるので、これにより、該足載台２を安定的に保持させ、水平状態から下方へ容易に収没しないようにすることができる。
【００２９】
前記足載台２の後部両端には、図２において示したように、座部フレーム４１の前部の左右両側に、枢着部２３・２３を設けた摺動棒２４・２４が移動自在に挿入されている。
【００３０】
尚、前記摺動棒２４・２４は、前記足載台２を保持するとともに、該足載台２及び上記回動リンク１３を介して、上記非回転ナット１２の回転を抑止する働きをも兼ねるものである。
【００３１】
そして、前記非回転ナット１２の後退動作（没入動作）の際、前記足載台２が水平方向に上記座部フレーム４１の前方へ摺動した後、さらに、前記非回転ナット１２を後退させると、図３乃至図４に示すように、上記回動リンク１３が足載台２の後部に移動し、該足載台２を下方へ収没させることができる。
【００３２】
また、前記足載台２は、前記非回転ナット１２が突出動作を行う際には、前記座部フレーム４１の前端において、前記回動リンク１３が足載台２の下面への移動と並行しながら、水平状態まで突出させた後に、前方へ摺動移動させることができる。
【００３３】
【発明の効果】
本発明の足載台進退機構は、椅子やマッサージ椅子の座部の前方で出没し得るように構成する足載台を、その突出時に、さらに使用者の脚の長さに合わせて進退移動させることのできる進退機構を設けて構成しているので、脚部が該フットレストからはみ出す可能性のある従来のものとは異なり、随時、体長に適応できる椅子やマッサージ椅子を提供することができ、リラックスできる余裕のある伸脚姿勢で着座することができる。
【図面の簡単な説明】
【図１】本発明の足載台進退機構を利用した椅子の一実施例を示す説明図である。
【図２】本発明の足載台進退機構を利用した椅子の一実施例を示す裏面側の説明図である。
【図３】本発明の足載台進退機構の一実施例を示す説明図である。
【図４】本発明の足載台進退機構の一実施例を示す説明図である。
【図５】本発明の足載台進退機構における螺子軸の保持状態の一実施例を示す説明図である。
【図６】本発明の足載台進退機構を利用した椅子の他の実施例を示す説明図である。
【符号の説明】
１  進退機構
２  足載台
２１  足載台保持部材
２２  出没機構
２４  摺動棒
４  座部
５  背凭れ部
【図１】
0004036957.tif 000002
【図２】
0004036957.tif 000003
【図３】
0004036957.tif 000004
【図４】
0004036957.tif 000005
【図５】
0004036957.tif 000006
【図６】
0004036957.tif 000007